(57)【要約】【課題】電力需要を考慮しつつ、高機能化したオーブンレンジをユーザーの指向に応じて有効に使うことができる加熱調理器を提供する。【解決手段】加熱部２６と、温度検知部２７と、記憶部２４と、入力部２５と、表示部２１と、制御部３１と、送信部２３と、受信部２２と、を備え、記憶部２４は、調理メニュー毎に、調理開始から調理終了までの時間情報と、庫内温度又は調理物の温度と、最大消費電力情報と、を関連付ける加熱プロファイル情報を記憶し、制御部３１は、入力部２５により選択された調理に供する調理メニューに対応する加熱プロファイル情報のうちの最大消費電力情報と、ＨＥＭＳ１１から受信した電気機器の使用電力情報の合計電力情報と、家屋の契約電力情報と、を比較して、入力部２５により選択された調理に供する調理メニューの調理可否を報知するものである。【選択図】図１
2014190665.tif 000002
【特許請求の範囲】
【請求項１】
調理物を収納する加熱庫を有する加熱調理器において、
前記調理物を加熱する複数の加熱部と、
前記加熱庫の庫内温度、又は、前記調理物の温度を検知する温度検知部と、
複数の調理メニューを記憶する記憶部と、
前記記憶部に記憶された前記複数の調理メニューから調理に供する調理メニューを選択する入力部と、
前記記憶部に記憶された前記複数の調理メニューを表示する表示部と、
前記入力部により選択された調理メニューに基づき前記加熱部を制御する制御部と、
当該加熱調理器が使用される家屋内の電気機器の使用電力を検知する電力管理装置へ、前記電気機器の使用電力情報を要求する指令を送信する送信部と、
前記電力管理装置から送信された前記電気機器の使用電力情報を受信する受信部と、
を備え、
前記記憶部は、
前記調理メニュー毎に、調理開始から調理終了までの時間情報と、前記庫内温度又は前記調理物の温度と、最大消費電力情報と、を関連付ける加熱プロファイル情報を記憶し、
前記制御部は、
前記入力部により選択された前記調理に供する調理メニューに対応する前記加熱プロファイル情報のうちの前記最大消費電力情報と、前記電力管理装置から受信した前記電気機器の使用電力情報の合計電力情報と、前記家屋の契約電力情報と、を比較して、前記入力部により選択された前記調理に供する調理メニューの調理可否を報知する
ことを特徴とする加熱調理器。
【請求項２】
前記複数の加熱部は、
少なくとも、マイクロ波加熱器、オーブン加熱器、及びグリル加熱器の何れかの加熱器で形成された
ことを特徴とする請求項１記載の加熱調理器。
【請求項３】
前記記憶部は、前記調理メニュー毎に、前記調理メニューの温度に関する温度属性情報を記憶し、
前記制御部は、
前記入力部により調理に供する複数の調理メニューが選択されたとき、選択されたそれぞれの調理メニューに対応して、前記記憶部が記憶する前記加熱プロファイル情報及び前記温度属性情報に基づき、選択された前記複数の調理メニューの調理の順番と、それぞれの調理メニューに対し通電する前記加熱部と、を決定し、前記調理の順番を報知する
ことを特徴とする請求項１又は２記載の加熱調理器。
【請求項４】
前記記憶部は、前記調理メニュー毎に、前記調理メニューの温度に関する温度属性情報を記憶し、
前記調理物の調理時間の短縮を優先する調理モードである調理時間短縮優先モード、又は、前記調理物の前記調理メニューの手順に従わせ、仕上がり状態を優先するおいしさ優先モード、の何れかを選択する調理モード選択部をさらに備え、
前記制御部は、
前記入力部により調理に供する複数の調理メニューが選択されたとき、選択されたそれぞれの調理メニューに対応して前記記憶部が記憶する前記温度属性情報、及び、前記調理モード選択部により選択された調理モードに基づき、選択された前記複数の調理メニューの調理の順番と、それぞれの調理メニューに対し通電する前記加熱部と、を決定し、前記調理の順番を報知する
ことを特徴とする請求項１又は２記載の加熱調理器。
【請求項５】
前記制御部は、
該制御部が決定する前記調理の順番と共に、前記調理の順番で調理実行の可否を報知する
ことを特徴とする請求項３又は４記載の加熱調理器。
【請求項６】
前記制御部は、
前記入力部により調理に供する複数の調理メニューが選択されたとき、少なくとも２番目以降に実行する調理メニューに対し、当該調理メニューの実行を開始するときの前記温度検知部が検知する前記庫内温度に応じて、前記調理物を容れる容器を予め定めた耐熱温度を有するものを使用するように報知する
ことを特徴とする請求項３又は４記載の加熱調理器。
【請求項７】
前記記憶部は、
前記調理メニュー毎に、調理開始に必要な食材に応じた情報である下準備情報を記載し、
前記制御部は、
前記入力部により調理に供する複数の調理メニューが選択されたとき、少なくとも、２番目以降に実行する前記調理メニューに対し、当該調理メニューの直前に実行する調理メニューの終了前から前記記憶部が記憶する当該調理メニューの前記下準備情報を報知する
ことを特徴とする請求項３又は４記載の加熱調理器。
【請求項８】
前記温度属性情報は、前記加熱庫内の調理開始許容温度範囲と、前記加熱庫内の調理終了時想定温度と、を含む
ことを特徴とする請求項３又は４記載の加熱調理器。
【請求項９】
前記温度属性情報は、ご飯又は総菜を温める前記調理メニューを実行する前記調理の順番を最後に調理する情報を含む
ことを特徴とする請求項３又は４記載の加熱調理器。
【請求項１０】
前記制御部は、
前記入力部により調理に供する複数の調理メニューが選択されたとき、それぞれの調理メニュー毎に仕上がり時刻情報又は仕上がり時間情報の入力を受け付けると共に、前記調理メニュー毎の前記仕上がり時刻情報又は前記仕上がり時間情報を前記表示部に表示する
ことを特徴とする請求項１〜９の何れか一項に記載の加熱調理器。
【請求項１１】
前記制御部は、
前記合計電力情報が前記契約電力情報と比べて大きい場合、当該加熱調理器の前記加熱部に供給する電力、又は、前記電気機器に供給する電力、の何れか一方を抑制するかを選択するように報知する
ことを特徴とする請求項１〜１０の何れか一項に記載の加熱調理器。
【請求項１２】
前記表示部に、現在通電中の前記電気機器を表示すると共に、
前記電気機器のうち、供給する電力を抑制する前記電気機器を選択する電気機器選択部をさらに備えた
ことを特徴とする請求項１１記載の加熱調理器。
【請求項１３】
前記記憶部に記憶される調理メニューの調理情報を、当該加熱調理器の外部から受信する調理メニュー情報受信部をさらに備えた
ことを特徴とする請求項１〜１２の何れか一項に記載の加熱調理器。
【請求項１４】
前記制御部は、
前記加熱部に供給する電力に制限がある場合、前記調理メニューに対応する類似メニューを当該加熱調理器の外部から検索し、表示する
ことを特徴とする請求項１〜１３の何れか一項に記載の加熱調理器。
【発明の詳細な説明】
【技術分野】
【０００１】
本発明は、加熱調理器、例えば、オーブンレンジに関し、特に、ＨＥＭＳ（Ｈｏｍｅ  Ｅｎｅｒｇｙ  Ｍａｎａｇｅｍｅｎｔ  Ｓｙｓｔｅｍ）と、オーブンレンジとの連動制御に関する。
【背景技術】
【０００２】
多機能化するオーブンレンジにより、今まではレンジしか使わなかったユーザーが、レンジとグリル機能のリレー調理が自動でできるオーブンレンジや、多数のオートメニューを搭載した機種により、オーブンレンジのオーブンやグリル機能を使用する機会がふえてきている。通常、オーブン機能を使った後は庫内が高温になり、すぐにレンジ機能を使う場合には、冷めるまで使用できないかもしくは、手動のみなどの制約が出てくる。
【０００３】
一方、オール電化に伴い、ＩＨクッキングヒーターやエコキュート（登録商標）など、電気を多く使う製品が増え、電力負荷の大きい製品を使用中に、オーブンレンジを使うと、ブレーカー容量の心配がでてくる。しかし近年、家電製品や太陽光発電などの発電システムを全てつないで、モニターをするＨＥＭＳが開発され、全ての電力使用状況をモニターし、効率よく電力を分配するなど、色々な使い方が想定できる。
【０００４】
特許文献１に記載の技術では、調理センターなど大規模な施設において、調理機器の電力予測使用量が契約電力量を超過しないように、調理センター全体の電力使用量の時間変化予測を画面に表示する管理システムが開示されている。しかし、大規模な調理システムを前提とした業務用システムであり、料理の配達時間と、電力使用調整とを主体としている（例えば、特許文献１参照）。
【先行技術文献】
【特許文献】
【０００５】
【特許文献１】特開２００５−３３２００３号公報（段落［００１７］）
【発明の概要】
【発明が解決しようとする課題】
【０００６】
ところで、例えば、レンジとグリルのリレー調理を使ったメニューを作りたい日に、冷凍ご飯などの温めも行いたい場合は、食べる直前にレンジで温めたいが、グリル調理後の庫内は高温になり、温度センサーの検知が難しいため、庫内が冷めるまでレンジが使用できない、もしくは、手動のみとなるケースがある。
【０００７】
さらに冷凍庫等で保存する際に使用していたプラスチック容器をそのまま入れると庫内が熱いので底が溶けてしまう心配などもある。よって、どのような順で調理を行えば良いのか、迷いが生じる。
【０００８】
さらに、オール電化した家庭では、ＩＨクッキングヒーター、エコキュート（登録商標）、及びエアコン等がフルパワーで使用中に、オーブンレンジを使用した場合、ブレーカーが落ちる虞がある。
【０００９】
換言すれば、電力需要を考慮しつつ、高機能化したオーブンレンジをユーザーの指向性に応じて有効に使うことができないという問題点があった。
【００１０】
本発明は、上記のような問題点を解決するためになされたもので、電力需要を考慮しつつ、高機能化したオーブンレンジをユーザーの指向性に応じて有効に使うことができる加熱調理器を提供することを目的とするものである。
【課題を解決するための手段】
【００１１】
本発明に係る加熱調理器は、調理物を収納する加熱庫を有する加熱調理器において、前記調理物を加熱する複数の加熱部と、前記加熱庫の庫内温度、又は、前記調理物の温度を検知する温度検知部と、複数の調理メニューを記憶する記憶部と、前記記憶部に記憶された前記複数の調理メニューから調理に供する調理メニューを選択する入力部と、前記記憶部に記憶された前記複数の調理メニューを表示する表示部と、前記入力部により選択された調理メニューに基づき前記加熱部を制御する制御部と、当該加熱調理器が使用される家屋内の電気機器の使用電力を検知する電力管理装置へ、前記電気機器の使用電力情報を要求する指令を送信する送信部と、前記電力管理装置から送信された前記電気機器の使用電力情報を受信する受信部と、を備え、前記記憶部は、前記調理メニュー毎に、調理開始から調理終了までの時間情報と、前記庫内温度又は前記調理物の温度と、最大消費電力情報と、を関連付ける加熱プロファイル情報を記憶し、前記制御部は、前記入力部により選択された前記調理に供する調理メニューに対応する前記加熱プロファイル情報のうちの前記最大消費電力情報と、前記電力管理装置から受信した前記電気機器の使用電力情報の合計電力情報と、前記家屋の契約電力情報と、を比較して、前記入力部により選択された前記調理に供する調理メニューの調理可否を報知するものである。
【発明の効果】
【００１２】
本発明は、ＨＥＭＳと連係しつつ、調理メニューに応じた各種提案を報知することで、電力需要を考慮しつつ、高機能化したオーブンレンジをユーザーの指向性に応じて有効に使うことができるという効果を有する。
【図面の簡単な説明】
【００１３】
【図１】本発明の実施の形態１における加熱調理器１と、ＨＥＭＳ１１と、電気機器との接続構成の一例を示す図である。
【図２】本発明の実施の形態１における加熱調理器１の庫内８１を示す図である。
【図３】本発明の実施の形態１における各種データ同士の紐付け関係の一例を示す図である。
【図４】本発明の実施の形態１における加熱調理器１の機能構成の一例を示す図である。
【図５】本発明の実施の形態１における各種優先アルゴリズムを説明する図である。
【図６】本発明の実施の形態１における電力制約アルゴリズムを説明する図である。
【図７】本発明の実施の形態１における庫内温度と消費電力との対応関係の一例を示す図である。
【図８】本発明の実施の形態１における加熱調理器１の制御例を説明するフローチャートである。
【図９】本発明の実施の形態１における表示部２１の表示例を示す図である。
【図１０】本発明の実施の形態１における調理の順番の表示例を示す図である。
【図１１】本発明の実施の形態１における電力制約時の調理の順番の表示例を示す図である。
【図１２】本発明の実施の形態２における表示部２１の表示例を示す図である。
【図１３】本発明の実施の形態２における調理メニューの階層構造の一例を説明する図である。
【図１４】本発明の実施の形態２における加熱調理器１の制御例を説明するフローチャートである。
【図１５】本発明の実施の形態３における表示部２１の表示例を示す図である。
【図１６】本発明の実施の形態３における加熱調理器１の制御例を説明するフローチャートである。
【図１７】本発明の実施の形態４における表示部２１の表示例を示す図である。
【図１８】本発明の実施の形態５における加熱調理器１の制御例を説明するフローチャートである。
【発明を実施するための形態】
【００１４】
以下、本発明の実施の形態について、図面を用いて詳細に説明する。なお、本発明の実施の形態１〜５の動作を行うプログラムを記述するステップは、記載された順序に沿って時系列に行われる処理であるが、必ずしも時系列に処理されなくても、並列的又は個別に実行される処理をも含んでもよい。
【００１５】
また、本実施の形態１〜５で説明される各機能をハードウェアで実現するか、ソフトウェアで実現するかは問わない。つまり、本実施の形態１〜５で説明される各ブロック図は、ハードウェアのブロック図と考えても、ソフトウェアの機能ブロック図と考えてもよい。例えば、各ブロック図は、回路デバイス等のハードウェアで実現されてもよく、図示しないプロセッサ等の演算装置上で実行されるソフトウェアで実現されてもよい。
【００１６】
また、本実施の形態１〜５で説明されるブロック図の各ブロックは、その機能が実施されればよく、それらの各ブロックで構成が分離されなくてもよい。
【００１７】
また、本実施の形態１〜５で説明される表示例は一例を示し、図示された記載事項に限定されるものではない。
【００１８】
なお、本実施の形態１〜５のそれぞれにおいて、特に記述しない項目については実施の形態１〜５と同様とし、同一の機能及び構成については同一の符号を用いて述べることとする。
【００１９】
また、本実施の形態１〜５は、単独で実施されてもよく、組み合わせて実施されてもよい。いずれの場合においても、下記で説明する有利な効果を奏することとなる。
【００２０】
また、本実施の形態１〜５のそれぞれで説明する各種値等の設定例は一例を示すだけであり、特にこれらに限定しない。
【００２１】
実施の形態１．
図１は、本発明の実施の形態１における加熱調理器１と、ＨＥＭＳ１１と、電気機器との接続構成の一例を示す図である。図１に示すように、加熱調理器１、例えば、オーブンレンジは、表示部２１、受信部２２、及び送信部２３等を備え、バス７１を介して各種機器と接続している。
【００２２】
例えば、バス７１には、空気調和機２、空気調和機３、テレビジョン受像機４、電気ケトル５、除湿機６、電磁調理器７、太陽光発電システム８、自然冷媒ヒートポンプ給湯機９、端末１０、ＨＥＭＳ１１、スマートメータ１２、及びインターネットＧＷ１４等が接続されている。つまり、各種家電製品が接続されている。
【００２３】
電磁調理器７は、例えば、ＩＨクッキングヒータである。太陽光発電システム８は、ソーラーパネル６１及びパワーコンディショナー６２を備えている。自然冷媒ヒートポンプ給湯機９は、例えば、エコキュート（登録商標）である。ＨＥＭＳ１１は、電力管理装置であり、受信部５１及び送信部５２等を備えている。スマートメータ１２は、電力会社１３と接続されており、電力会社１３から各種電力情報等を取得する。インターネットＧＷ１４は、インターネット１５を介して、各種Ｗｅｂサービス等を提供するサービス１６と接続されている。
【００２４】
図１に示すようにＨＥＭＳ１１と家電製品とをバス７１等のネットワークで接続してある環境において、ＨＥＭＳ１１と情報伝達ができる機能を持った加熱調理器１、例えば、オーブンレンジは、レンジとオーブンの連動やレンジとグリルの連動ができる機能があるものと想定する。また、家庭内の家電製品を全てＨＥＭＳ１１に搭載されるコントローラーが家庭内のネットワークで繋げると伴に、ＨＥＭＳ１１のコントローラーで電力情報を管理できるものとする。
【００２５】
また、オーブンレンジの付属でメニュー集などがあるものでは、ホームページ上で公開しているメニューも含め、レンジとオーブンもしくはレンジとグリルの連動の自動メニューやオーブンメニューが含まれている。
【００２６】
加熱調理器１には、加熱方式、加熱時間、加熱温度の情報に加え、各メニューを作るのに必要な消費電力や最大火力時の電力量の情報、更にそのメニューを作った後の庫内８１の温度情報が記憶されている。ここで、加熱方式には、例えば、３つの場合が想定される。それは、マイクロ波加熱方式のマイクロ波加熱器、オーブン加熱方式のオーブン加熱器、及びグリル加熱方式のグリル加熱器である。
【００２７】
オーブンレンジは、通常予め定められた温度のプロファイルになるように後述する加熱部２６への通電量を制御している。また、庫内温度は、例えば、赤外線センサーで検知される。よって、オーブンレンジは、自動運転の場合であっても、実際には食材の初期温度、分量、各材料の庫内８１での配置位置によって、実際の通電時間が毎回変わる。
【００２８】
また、オーブンレンジは、インターネット１５上から自動的にメニューの情報をダウンロードできる機能を搭載している。なお、オーブンレンジへのメニュー情報のダウンロードは、ＨＥＭＳ１１を経由してもよい。また、図示しないスマートフォンにダウンロードしたメニュー情報を近接通信してオーブンレンジに取り込んでもよい。
【００２９】
図２は、本発明の実施の形態１における加熱調理器１の庫内８１を示す図である。図２に示すように、加熱調理器１は、庫内８１に調理物を入れ、各種調理メニューに応じた調理を実行する。
【００３０】
図３は、本発明の実施の形態１における各種データ同士の紐付け関係の一例を示す図である。図３に示すように、加熱調理器側記憶項目として、複数のメニューがある。複数のメニューのそれぞれは、各種情報が紐付けされている。例えば、メニューは、加熱プロファイル情報、温度属性情報、下準備情報、及び調理情報等が紐付けされている。
【００３１】
加熱プロファイル情報は、例えば、調理時間、庫内温度、調理物温度、及び最大消費電力等が紐付けされている。加熱プロファイル情報のうち、調理時間は、例えば、調理開始から調理終了までの時間情報である。温度属性情報は、例えば、調理開始許容温度範囲、調理終了時想定温度、及び調理手順等が紐付けされている。
【００３２】
また、ＨＥＭＳ側記憶項目として、電力情報がある。電力情報は、例えば、電気機器の使用電力及び契約電力が紐付けされている。電気機器の使用電力は、例えば、複数の電気機器のそれぞれと紐付けされている。つまり、電気機器の使用電力を参照することで、複数の電気機器の使用電力の合計を求めることができるため、結果として、複数の電気機器の使用電力の合計値が参照可能となる。
【００３３】
また、最大消費電力と、温度属性情報とは、電力情報と紐付けされている。よって、最大消費電力と、複数の電気機器の使用電力の合計電力と、家屋の契約電力とが相互参照可能となっているため、これらを比較することで、例えば、ユーザーがオーブンレンジに入力等して設定された調理メニューが調理可能か否かを判定できる。なお、上記で説明した紐付けは一例を示し、特にこれらに限定しない。
【００３４】
図４は、本発明の実施の形態１における加熱調理器１の機能構成の一例を示す図である。図４に示すように、加熱調理器１は、その機能構成として、上記で説明した表示部２１、受信部２２、及び送信部２３の他に、記憶部２４、入力部２５、加熱部２６、温度検知部２７、調理モード選択部２８、電気機器選択部２９、メニュー情報受信部３０、及び制御部３１等を備えている。
【００３５】
加熱部２６は、複数設けられ、調理物を加熱するものである。温度検知部２７は、庫内８１の庫内温度、又は、調理物の温度を検知するものである。記憶部２４は、詳細については後述するが、複数の調理メニューを記憶するものである。入力部２５は、記憶部２４に記憶された複数の調理メニューから調理に供する調理メニューを選択するものである。表示部２１は、記憶部２４に記憶された複数の調理メニューを表示するものである。制御部３１は、入力部２５により選択された調理メニューに基づき加熱部２６を制御するものである。送信部２３は、加熱調理器１、例えば、オーブンレンジが使用される家屋内の電気機器の使用電力を検知する電力管理装置、例えば、ＨＥＭＳ１１へ、電気機器の使用電力を要求する指令を送信するものである。受信部２２は、電力管理装置、例えば、ＨＥＭＳ１１から送信された電気機器の使用電力を受信するものである。
【００３６】
記憶部２４には、各種情報が記憶されている。各種情報の一例を図５〜７を用いて説明する。また、記憶部２４は、調理メニュー毎に、加熱プロファイル情報を記憶している。
【００３７】
また、オーブンレンジには、ユーザーが１回の食事を作るのに、複数回オーブンレンジを使用する場合、入力部２５を介して、使用する全ての項目を入力できるようなアプリケーションを搭載する。アプリケーションの中には、複数回使用するオーブンレンジの調理項目や、各調理の量を把握する為に何人分を作るのか、さらに、調理手順を決める際に、手間を省き時間短縮、調理時間短縮を優先するのか、おいしさを優先するのかなどが調理モード選択部２８を介して選ぶことができる。なお、複数回使用するオーブンレンジの調理項目としては、付属のメニューブックやホームページで公開中のメニューや、冷蔵もしくは冷凍ご飯の温め、冷凍肉魚の解凍、ゆで野菜、飲み物や惣菜などのおかず温めなどである。
【００３８】
次に、ユーザーが、夕食を作る前に、オーブンレンジで夕食を作るのにオーブンレンジで使う項目を検討する。例えば、冷凍の鶏肉の解凍、レンジとグリルの連動調理で作るから揚げと冷凍ご飯の温めの入力が想定される。そこで、考えられる組み合わせは、庫内８１が高温でもレンジが使用できるオーブンレンジの場合、レンジで鶏肉の解凍、レンジグリルの自動でから揚げ、レンジの手動で冷凍ご飯の温め（ただし、庫内８１が高温の為、耐熱容器に入れ替えて温める）という組み合わせが想定できる。
【００３９】
また、冷凍と常温のものを同時に調理できるオーブンレンジでは、冷凍のままレンジグリルでから揚げ、レンジの手動で冷凍ご飯の温め（ただし、庫内８１が高温の為、耐熱容器に入れ替えて温める）という組み合わせが想定できる。
【００４０】
さらに、ご飯は温めた後、さらに調理を加えたい場合や、庫内８１が高温のときにレンジが使用できないオーブンレンジの場合では、初めにご飯を温めてから、から揚げをつくる場合も想定される。もしくは、から揚げを早めに作っておき、食べる直前にご飯の温めをし、から揚げも再加熱する等の方法もある。
【００４１】
これらの組み合わせを、ユーザーの希望とＨＥＭＳ１１からの電力情報を加味して、オーブンレンジにお勧めの調理手順を提示する。
【００４２】
次に、各種優先内容の詳細について図５を用いて説明する。
【００４３】
図５は、本発明の実施の形態１における各種優先アルゴリズムを説明する図である。図５に示すように、省エネ優先の場合には、１番目として、ご飯やおかずの温めは最後にする。２番目として、レンジで温めをする場合は、オーブンまたはグリルモードを使った後に回す。ただし、材料に火を通すもの、例えば、野菜を茹でるなどは含まない。３番目として、温度帯の違うオーブンもしくはグリルの調理をする場合は、温度の低いものから調理をする。
【００４４】
また、おいしさ優先の場合には、１番目として、ご飯やおかずの温めは最後にする。２番目として、冷凍の肉や魚を使用する場合は、初めに解凍を行う。３番目として、省エネ優先の２番目を行う。４番目として、省エネ優先の３番目を行う。
【００４５】
また、時短優先の場合には、１番目として、ご飯やおかずの温めは最後にする。２番目として、冷凍の肉や魚は、メニューによって可能なものは、冷凍のまま調理する。３番目として、省エネ優先の２番目を行う。４番目として、省エネ優先の３番目を行う。
【００４６】
具体例について説明する。冷凍のお肉を解凍モードで解凍するのは、ムラがでないようゆっくり加熱するため、時間がかかる。しかし、冷凍のものをいきなり加熱調理すると、肉厚や材料の重なり具合によって加熱ムラが発生し、焦げたりぱさついたりと仕上がりに影響がでる。さらに、冷凍のお肉にから揚げのように味をつける場合は、くっついて固まっている場合は、その間に調味料がいきわたらず、お肉自体にも調味料が浸透しにくい。よって、ある程度制御方法（レンジをかけながらオーブンで加熱等）で抑制できたとしても、おいしさを選ぶならば、解凍してから調理が良い。よって、から揚げとご飯の温めであれば、次のようになる。
【００４７】
おいしさ優先の場合、鶏肉の解凍、レンジグリルでから揚げ調理、ご飯のあたため、という順番である。時短優先の場合、冷凍のままレンジグリルでから揚げ、ご飯の温め、という順番である。
【００４８】
図６は、本発明の実施の形態１における電力制約アルゴリズムを説明する図である。１番目として、Ｗ数を下げて調理できるものは下げる。２番目として、一定時間のみ電力制限がある場合は、制限がある間、Ｗ数の低いものを選び、電力制限のない時間帯にＷ数の高い調理の順とする。３番目として、調理するのに全く電力が足りない場合は、ＨＥＭＳ１１側で調整できる家電製品がないか指令を出す。
【００４９】
なお、記憶部２４には、上記で説明した各種情報の他にもさまざまな情報が記憶されている。例えば、オーブンレンジに付属のメニューブックやホームページ上で公開している、レンジとグリルの連動の自動メニューやオーブンメニューにおいて、加熱方式、加熱時間、加熱温度の情報に加え、各メニューを作るのに必要な消費電力や最大火力時の電力量の情報やそのメニューを作った後の庫内８１の温度情報も記憶させている。
【００５０】
また、受信部２２を利用することで、インターネット上から自動的に前記情報をダウンロードすることができる。
【００５１】
ところで、庫内８１の温度が高い状態で、冷凍ご飯を入れると、ご飯の周囲温度でもご飯が温められるので時間短縮になる。温度センサーでご飯単体の温度が判別できないものの、予め冷凍のご飯を何ｇいれるのかわかっている場合は、庫内８１の複数の温度テーブル毎に冷凍ご飯○ｇに対し△Ｗ、□分必要であるかを図７に示すデータとして記憶してもよい。
【００５２】
図７は、本発明の実施の形態１における庫内温度と消費電力との対応関係の一例を示す図である。図７に示すように、庫内温度が高い場合には、ご飯の温めは、冷凍ご飯の場合と、冷蔵ご飯の場合とで、対応する消費電力と、調理時間とが異なる。
【００５３】
具体的には、庫内温度が高い場合のご飯の温めとして、冷凍ごはんの場合、庫内温度５０℃未満では、１００ｇまでで、４００Ｗ、２分となり、１０１〜１５０ｇまでで、６００Ｗ、１．５分となり、１５１〜２００ｇまでで、６００Ｗ、２分となる。
【００５４】
また、庫内温度が５０〜８０℃では、１００ｇまでで、４００Ｗ、１分となり、１０１〜１５０ｇまでで、６００Ｗ、１分となり、１５１〜２００ｇまでで、６００Ｗ、１．５分となる。８１〜１００℃については省略する。
【００５５】
また、冷蔵ごはんの場合、庫内温度５０℃未満では、１００ｇまでで、４００Ｗ、５０秒、１０１〜１５０ｇまでで、６００Ｗ、１分、１５１〜２００ｇまでで、６００Ｗ、１．５分となる。５０〜８０℃では、１００ｇまでで、４００Ｗ、４０秒となり、１０１〜１５０ｇまでで、６００Ｗ、４０秒となり、１５１〜２００ｇまでで、６００Ｗ、１分となる。８１〜１００℃については省略する。
【００５６】
なお、使用可能な電力が足りない時は、レンジの温めであれば、６００Ｗ出力のところを５００Ｗに適宜変更したり、ＨＥＭＳ１１と連動して他の家電製品で電力を調整できるもの、例えば、空気調和機２、３又はＩＨクッキングヒーターなどを提示し、ユーザー側で適宜選ぶことができるものとする。
【００５７】
つまり、図７で示した庫内温度と消費電力との対応関係を利用することで、省エネで制御を実行できる。例えば、省エネの観点から考えた場合、から揚げとご飯の温めの手順は、鶏肉の解凍、レンジグリルでから揚げ、ご飯の温めの順番が想定される。この方法の場合、通常庫内が熱いとご飯の温めを手動でなくてはならないのが、自動で行うことができ、使い勝手も向上できる。
【００５８】
図８は、本発明の実施の形態１における加熱調理器１の制御例を説明するフローチャートである。まず、加熱調理器１の制御の内容について説明する。
【００５９】
複数回使用するオーブンレンジの調理項目や、各調理の量を把握する為に何人分を作るのかが入力される。また、複数人分の調理をする場合、１人分の調理の場合と比べ、加熱時間が長く設定される。さらに、調理手順を決める際に、手間を省き時間短縮するのか、おいしさを優先するのかの入力ができるものとする。
【００６０】
なお、「レンジグリル」とは、レンジのあとグリルをする連動動作を意味する。レンジで食材の中まで火を通し、グリルで表面に焦げ目をつける考え方である。レンジからグリルへは、自動の場合、庫内８１の温度（例えば、８０℃）または蒸気の発生で検知し、グリルへ移行する。ただし、本実施の形態１においては、手動の設定例で説明する。
【００６１】
また、オーブンレンジには、ユーザーが１回の食事を作るのに、複数回オーブンレンジを使用する場合、使用する全ての項目を入力できるように、図９に示すような入力画面を表示する。図９は、本発明の実施の形態１における表示部２１の表示例を示す図である。
【００６２】
図１０は、本発明の実施の形態１における調理の順番の表示例を示す図である。図１１は、本発明の実施の形態１における電力制約時の調理の順番の表示例を示す図である。
【００６３】
次に、以上のことを前提にして動作例について順に説明する。
【００６４】
前提条件として、例えば、ＨＥＭＳ１１を所有するユーザーにおいて、ユーザーが、今夜の夕飯を作るのにオーブンレンジを使いたい項目をオーブンレンジに入力する場合を想定する。ユーザーからオーブンレンジに入力が実行されると、オーブンレンジは、ＨＥＭＳ１１に現在の電力使用状況と今から１時間以内の予想電力使用量情報を伝達する指令を出す（ステップＳ１１〜ステップＳ１３及びステップＳ６１〜ステップＳ６２）。
【００６５】
ＨＥＭＳ１１側は、今から夕飯を作ることを検知し、夕飯を作るときの一時間以内の予想電力を算出し、算出結果をオーブンレンジに伝達をする。ここで、メニューブックに掲載の選択できるメニューは、運転のモード、庫内温度、加熱時間をオーブンレンジ内もしくはインターネット経由で入手するものとする。例えば、から揚げであれば、加熱情報は、「初めレンジ６００Ｗで４分加熱後、グリルに切り替え、グリル２５０℃設定で１０分加熱をする」等である。また、下準備の情報としては、「鶏肉にから揚げ粉をまぶし、付属の角皿の上に付属の網をのせ、その上に並べる」等である。また、メニューブックどおりの配分であれば、一人分増やす場合も、人数を入力することで、大よその加熱時間を事前に検証できるため、データとして記憶させておき、調理時間算出時の値として使用する。また、これらの加熱時間とヒーターのＷ数を使って、消費電力も計算する（ステップＳ１１〜ステップＳ１３及びステップＳ６１〜ステップＳ６２）。
【００６６】
算出結果を受信したオーブンレンジは、夕飯のメニューを作るのに使用電力に制限があるかを判定する（ステップＳ１４）。電力に制限がない場合（ステップＳ１４ＮＯ）は、ステップＳ１５に進み、図９の画面になる。電力制限ある場合（ステップＳ１４ＹＥＳ）は、レンジのＷ数を下げるもしくは、オーブンやグリルの温度を下げて対応できるメニューか判断する（ステップＳ２３）。対応できるものは対応し、ステップＳ１５に進む。対応できない場合は、ＨＥＭＳ１１側に現在使用中の家電製品で電力調整できるものがないか指令を出す（ステップＳ２４）。ＨＥＭＳ１１は、空気調和機２、３などの温度調節により電力調整可能な家電製品があると判断した場合は、図１１に示すように、オーブンレンジにその情報を伝達する（ステップＳ６５等）。オーブンレンジは、その情報を画面に表示させ、調節するかどうかユーザーの判断を仰ぐ。電力調整可能な家電製品がない場合や、ユーザーが調整可能な他の家電製品の電力調整を拒否した場合は、調理の時間帯の変更や他のメニューにできないか、ユーザーに指示を仰ぐ。ここで事前にオーブンレンジに所有している他の調理機器を登録して、他で代替ができないか算出しても良い（ステップＳ２８〜ステップＳ３１等）。
【００６７】
換言すれば、家電製品、すなわち、電気機器の使用電力の合計が、家屋内の契約電力と比べて大きい場合には、加熱部２６に供給する電力を抑制するか、電気機器に供給する電力を抑制するか、何れの選択肢が表示される。
【００６８】
オーブンレンジのメニュー側もしくは、他の家電製品で電力調整ができる場合は、その旨を表示する。ここで、ＨＥＭＳ１１とオーブンレンジの情報伝達による結果表示及び操作は、全てオーブンレンジ側に表示することで、ユーザーはオーブンレンジの画面を見るだけでよいものとする。
【００６９】
他の家電製品で電力を調整することにユーザーが同意した場合は、ユーザー手動もしくはＨＥＭＳ１１が自動的に他製品のモードを変更もしくは、電源を切る。他製品側の電力調整がＨＥＭＳ１１で確認されたら、現在の電力算出結果をオーブンレンジに伝達する。
【００７０】
ユーザーより入力されたオーブンレンジを使用する今夜の夕飯のメニューの中で、ご飯の温めなど、食べる直前、調理の最後にオーブンレンジを使用した方が良いものや下ごしらえで早めに調理した方が良いものがあるかを判定する（ステップＳ１５等）。
【００７１】
順番が必要な項目がある場合（ステップＳ１５ＹＥＳ）は、優先にし、効率的な手順を算出し、画面に算出結果を表示する。オーブンレンジは、算出した手順で良いかどうか、図１０に示すように、ユーザーに判断を仰ぐ。ユーザーが算出手順で良い場合は、一番初めの調理モードに自動的に設定され、さらに、次工程の内容を画面に表示し、一番初めのメニューを調理中に次工程の準備ができるようにする。ユーザーがオーブンレンジの算出した手順がＮＧの場合は、別の手順を算出し、再度算出された手順を画面に表示し、この手順で良いか判断を仰ぐ（ステップＳ１６〜ステップＳ２１等）。
【００７２】
以上の説明から、一つのオーブンレンジで複数の調理を行う際の最適な手順が提示され、オーブン料理前にレンジを使用する場合は、庫内８１が高温の時はご飯をお茶碗に移してから温めるなどの情報提示により、料理初心者にもスムーズに調理を進めることができる。更に次に行う調理も提示されている為、オーブンレンジで調理中に次の調理の準備ができ、調理時間の短縮にも繋がる。
【００７３】
以上、本実施の形態１において、調理物を収納する加熱庫を有する加熱調理器１において、調理物を加熱する複数の加熱部２６と、加熱庫の庫内温度、又は、調理物の温度を検知する温度検知部２７と、複数の調理メニューを記憶する記憶部２４と、記憶部２４に記憶された複数の調理メニューから調理に供する調理メニューを選択する入力部２５と、記憶部２４に記憶された複数の調理メニューを表示する表示部２１と、入力部２５により選択された調理メニューに基づき加熱部２６を制御する制御部３１と、加熱調理器１が使用される家屋内の電気機器の使用電力を検知するＨＥＭＳ１１へ、電気機器の使用電力情報を要求する指令を送信する送信部２３と、ＨＥＭＳ１１から送信された電気機器の使用電力情報を受信する受信部２２と、を備え、記憶部２４は、調理メニュー毎に、調理開始から調理終了までの時間情報と、庫内温度又は調理物の温度と、最大消費電力情報と、を関連付ける加熱プロファイル情報を記憶し、制御部３１は、入力部２５により選択された調理に供する調理メニューに対応する加熱プロファイル情報のうちの最大消費電力情報と、ＨＥＭＳ１１から受信した電気機器の使用電力情報の合計電力情報と、家屋の契約電力情報と、を比較して、入力部２５により選択された調理に供する調理メニューの調理可否を報知する加熱調理器１が構成される。
【００７４】
上記構成のため、電力需要を考慮しつつ、高機能化したオーブンレンジをユーザーの指向性に応じて有効に使うことができる。
【００７５】
実施の形態２．
オーブンレンジのメニューブックは、メニューが多い為、全メニューを一度に画面に表示することはスペース的に難しく、また検索性が悪い。そこで、図１２に示すようにメニューブックの分類の項目、例えば、ヘルシーメニュー、７分メニュー、及び野菜のおかずをまず画面に表示する。
【００７６】
図１２は、本発明の実施の形態２における表示部２１の表示例を示す図である。図１２に示すように、レンジグリルのメニュー集として、上記で説明した３つのメニューが表示されている。
【００７７】
ここで、調理メニューの階層構造の一例について図１３を用いて説明する。図１３は、本発明の実施の形態２における調理メニューの階層構造の一例を説明する図である。図１３に示すように、メニューブックの分類の項目として、ヘルシーメニュー、７分メニュー、及び野菜のおかずが紐付けされている。さらに、ヘルシーメニューの具体的な調理メニューが複数紐付けされている。７分メニューにおいても具体的な調理メニューが複数紐付けされている。また、野菜のおかずにおいても具体的な調理メニューが複数紐付けされている。
【００７８】
よって、ユーザーがその項目の中から１つ選ぶと、その項目のメニューのみが一覧となって表示され、ユーザーは更にその中からメニューを選ぶことができる。
【００７９】
図１４は、本発明の実施の形態２における加熱調理器１の制御例を説明するフローチャートである。
【００８０】
（ステップＳ８１）
加熱調理器１は、電力制限があるか否かを判定する。加熱調理器１は、電力制限がある場合、ステップＳ８２に進む。一方、加熱調理器１は、電力制限がない場合、ステップＳ８１に戻る。
【００８１】
（ステップＳ８２）
加熱調理器１は、他の家電製品で電力使用量を低減できるか否かを判定する。加熱調理器１は、他の家電製品で電力使用量を低減できる場合、処理を終了する。一方、加熱調理器１は、他の家電製品で電力使用量を低減できない場合、ステップＳ８３に進む。
【００８２】
（ステップＳ８３）
加熱調理器１は、夕飯の作る時間帯をずらせるか否かを判定する。加熱調理器１は、夕飯の作る時間帯をずらせる場合、処理を終了する。一方、加熱調理器１は、夕飯の作る時間帯をずらせない場合、ステップＳ８４に進む。
【００８３】
（ステップＳ８４）
加熱調理器１は、類似メニューを検索する。なお、検索ソースは特に限定しないが、例えば、図１に示すように、インターネット１５を介して各種サービスを提供するサービス１６から取得してもよい。
【００８４】
（ステップＳ８５）
加熱調理器１は、検索結果を表示し、処理を終了する。
【００８５】
つまり、電力制限があり、他の家電製品で電力使用量を低減したり、夕飯の作る時間帯をずらす等ができない場合は、オーブンレンジがインターネット１５の情報を検索できる環境下を利用することで、インターネット上の料理メニューの中から類似メニューで代用できるものがあるか検索できる。また、検索結果をオーブンレンジに表示し、代替案を算出できても良い。
【００８６】
実施の形態３．
図１５は、本発明の実施の形態３における表示部２１の表示例を示す図である。図１５の点線の楕円枠の箇所で示すように、ユーザーから仕上がり希望時間が入力可能となり、その入力結果の表示例として、午後７時が表示されている。
【００８７】
つまり、上記実施の形態３において、夕飯のメニューを入力する際、図１５のように全てのメニューが出来上がる希望予定時刻を入力できるようにしている。
【００８８】
また、例えば、早めに入力した場合、電力調整がしやすくなり、更に、各メニューのお勧め調理時間を表示することで、ユーザーが時間を効率よく使うことができるようになる。次に、電力調整を行い、お勧め調理時間を表示する動作例について図１６を用いて説明する。
【００８９】
図１６は、本発明の実施の形態３における加熱調理器１の制御例を説明するフローチャートである。
【００９０】
（ステップＳ９１）
加熱調理器１は、希望予定時刻が入力されたか否かを判定する。加熱調理器１は、希望予定時刻が入力された場合、ステップＳ９２に進む。一方、加熱調理器１は、希望予定時刻が入力されない場合、処理を終了する。
【００９１】
（ステップＳ９２）
加熱調理器１は、希望予定時刻に基づいて電力調整できるか否かを判定する。加熱調理器１は、希望予定時刻に基づいて電力調整できる場合、ステップＳ９３に進む。一方、加熱調理器１は、希望予定時刻に基づいて電力調整できない場合、処理を終了する。
【００９２】
（ステップＳ９３）
加熱調理器１は、電力調整を行う。
【００９３】
（ステップＳ９４）
加熱調理器１は、電力調整に基づいて各メニューのお勧め調理時間を表示し、処理を終了する。
【００９４】
したがって、加熱調理器１は、ＨＥＭＳ１１と連係することで電力情報を取得できるので、電力調整を含んだ調理時間を報知することができる。
【００９５】
実施の形態４．
オーブンレンジを使用するのに電力調整が必要な場合は、図１７で説明するようにＨＥＭＳ１１側で電力が調整できる家電製品を数パターン算出し、加熱調理器１に伝達し、ユーザーに選ばせても良い。
【００９６】
例えば、エアコンで冷房中であれば、電力の使用量を減らすため、温度設定を上げる動作として、「エアコンの温度設定を２８℃にする。」、「エアコンを切る。」、及び「エアコンを切って除湿機の省エネモードで運転する。」などがある。
【００９７】
また、電気ケトル５又はアイロンがけなどのように、短時間に高い電力を使用する電気機器の場合には、提示案として、例えば、「電気ケトルもしくはアイロンの使用が終われば、オーブンレンジを使うことができます」等と表示しても良い。次に、表示の具体例について図１７を用いて説明する。
【００９８】
図１７は、本発明の実施の形態４における表示部２１の表示例を示す図である。図１７に示すように、今夜の晩御飯の調理メニューを調理する場合においては、電力が不足する旨が表示され、電力調整が可能な家電製品の一覧が表示されている。また、加熱調理器１自体の設定を変える選択肢も表示されている。
【００９９】
つまり、加熱調理器１がＨＥＭＳ１１と連係することで電力情報を取得できるので、電力不足であっても、代替案を報知することができる。
【０１００】
実施の形態５．
ＨＥＭＳ１１側より電力が足りない旨を受信し、他の家電製品でタイマー運転が行われ、例えば、あと数分で運転が終了する場合は、代替案を提示してもよい。例えば、「エアコンの運転がタイマー運転により、あと１０分で運転が終了します。１０分お待ち頂ければ、オーブンレンジを使うことができます」等のように表示しても良い。次に、上記で説明したように、電力制限がかかっている場合、加熱調理器１が代替案を提示する処理の一例を図１８を用いて説明する。
【０１０１】
図１８は、本発明の実施の形態５における加熱調理器１の制御例を説明するフローチャートである。
【０１０２】
（ステップＳ１０１）
加熱調理器１は、電力制限があるか否かを判定する。加熱調理器１は、電力制限がある場合、ステップＳ１０２に進む。一方、加熱調理器１は、電力制限がない場合、ステップＳ１０１に戻る。
【０１０３】
（ステップＳ１０２）
加熱調理器１は、使用中の家電製品でタイマー運転中があるか否かを判定する。加熱調理器１は、使用中の家電製品でタイマー運転中がある場合、ステップＳ１０３に進む。一方、加熱調理器１は、使用中の家電製品でタイマー運転中がない場合、処理を終了する。
【０１０４】
（ステップＳ１０３）
加熱調理器１は、現在タイマー運転中の家電製品が予め定めた閾値以内に運転を終了するか否かを判定する。加熱調理器１は、現在タイマー運転中の家電製品が予め定めた閾値以内に運転を終了する場合、ステップＳ１０４に進む。一方、加熱調理器１は、現在タイマー運転中の家電製品が予め定めた閾値以内に運転を終了しない場合、処理を終了する。
【０１０５】
（ステップＳ１０４）
加熱調理器１は、待ち時間を表示する。
【０１０６】
（ステップＳ１０５）
加熱調理器１は、タイマー運転終了後に使用可能な家電製品を表示し、処理を終了する。
【０１０７】
したがって、加熱調理器１は、ＨＥＭＳ１１と連係することでタイマー運転中の家電製品を把握できるので、待ち時間を考慮した代替案を提示することができる。
【符号の説明】
【０１０８】
１  加熱調理器、２、３  空気調和機、４  テレビジョン受像機、５  電気ケトル、６  除湿機、７  電磁調理器、８  太陽光発電システム、９  自然冷媒ヒートポンプ給湯機、１０  端末、１１  ＨＥＭＳ、１２  スマートメータ、１３  電力会社、１４  インターネットＧＷ、１５  インターネット、１６  サービス、２１  表示部、２２  受信部、２３  送信部、２４  記憶部、２５  入力部、２６  加熱部、２７  温度検知部、２８  調理モード選択部、２９  電気機器選択部、３０  メニュー情報受信部、３１  制御部、５１  受信部、５２  送信部、６１  ソーラーパネル、６２  パワーコンディショナー、７１  バス、８１  庫内。
【図１】
2014190665.tif 000003
【図２】
2014190665.tif 000004
【図３】
2014190665.tif 000005
【図４】
2014190665.tif 000006
【図５】
2014190665.tif 000007
【図６】
2014190665.tif 000008
【図７】
2014190665.tif 000009
【図８】
2014190665.tif 000010
【図９】
2014190665.tif 000011
【図１０】
2014190665.tif 000012
【図１１】
2014190665.tif 000013
【図１２】
2014190665.tif 000014
【図１３】
2014190665.tif 000015
【図１４】
2014190665.tif 000016
【図１５】
2014190665.tif 000017
【図１６】
2014190665.tif 000018
【図１７】
2014190665.tif 000019
【図１８】
2014190665.tif 000020